(57)【要約】  通信効率を向上させるために、本願の実施例は通信方法、ネットワーク機器及び端末装置を提供し、前記通信方法は、端末装置が端末装置の第１パラメータを設定した場合の端末能力及び／又は端末装置の第２パラメータに対するサポート能力を示すための端末能力情報を生成することと、端末装置がネットワーク機器に端末能力情報を送信することと、を含む。
2019527944.tif 000002
【特許請求の範囲】
【請求項１】
通信方法であって、
端末装置が前記端末装置の第１パラメータを設定した場合の端末能力及び／又は前記端末装置の第２パラメータに対するサポート能力を示すための端末能力情報を生成することと、
前記端末装置がネットワーク機器に前記端末能力情報を送信することと、を含む、ことを特徴とする通信方法。
【請求項２】
前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含むことを特徴とする
請求項１に記載の通信方法。
【請求項３】
前記第２基本パラメータセットがＭ種の基本パラメータセットであり、前記端末能力情報は前記端末装置の前記Ｍ種の基本パラメータセットのうちの各種の基本パラメータセットに対するサポート能力を示すための第１情報を含むことを特徴とする
請求項２に記載の通信方法。
【請求項４】
前記第２キャリア帯域幅がＮ種のキャリア帯域幅であり、前記端末能力情報は前記端末装置の前記Ｎ種のキャリア帯域幅のうちの各種のキャリア帯域幅に対するサポート能力を示すための第２情報を含むことを特徴とする
請求項２又は３に記載の通信方法。
【請求項５】
前記端末能力情報は前記端末装置の第２パラメータの組み合わせに対するサポート能力を示すための第３情報を含み、前記第２パラメータの組み合わせは前記第２基本パラメータセットと、前記第２キャリア帯域幅とを含むことを特徴とする
請求項２〜４のいずれか１項に記載の通信方法。
【請求項６】
前記端末能力情報は前記端末装置の第１パラメータの組み合わせを設定した場合の端末能力を示すための第４情報を含み、前記第１パラメータの組み合わせは前記第１基本パラメータセットと、前記第１キャリア帯域幅とを含むことを特徴とする
請求項２〜５のいずれか１項に記載の通信方法。
【請求項７】
前記端末装置がネットワーク機器に前記端末能力情報を送信することは、
前記端末装置が無線リソース制御（ＲＲＣ）シグナリングを介して前記端末能力情報を送信することを含むことを特徴とする
請求項１〜６のいずれか１項に記載の通信方法。
【請求項８】
通信方法であって、
ネットワーク機器が端末装置の第１パラメータを設定した場合の端末能力及び／又は前記端末装置の第２パラメータに対するサポート能力を送信するように前記端末装置に指示するための指示メッセージを前記端末装置に送信することと、
前記ネットワーク機器が前記端末装置から前記端末装置の前記第１パラメータを設定した場合の端末能力及び／又は前記端末装置の前記第２パラメータに対するサポート能力を示すための端末能力情報を受信することと、を含む、ことを特徴とする通信方法。
【請求項９】
前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含むことを特徴とする
請求項８に記載の通信方法。
【請求項１０】
前記第２基本パラメータセットがＭ種の基本パラメータセットであり、前記指示メッセージは前記Ｍ種の基本パラメータセットのうちの各種の基本パラメータセットに対するサポート能力を送信するように前記端末装置に指示するための第１指示情報を含むことを特徴とする
請求項９に記載の通信方法。
【請求項１１】
前記第２キャリア帯域幅がＮ種のキャリア帯域幅であり、前記指示メッセージは前記Ｎ種のキャリア帯域幅のうちの各種のキャリア帯域幅に対するサポート能力を送信するように前記端末装置に指示するための第２指示情報を含むことを特徴とする
請求項９又は１０に記載の通信方法。
【請求項１２】
前記指示メッセージは第２パラメータの組み合わせに対するサポート能力を送信するように前記端末装置に指示するための第３指示情報を含み、前記第２パラメータの組み合わせは前記第２基本パラメータセットと、前記第２キャリア帯域幅とを含むことを特徴とする
請求項９〜１１のいずれか１項に記載の通信方法。
【請求項１３】
前記指示メッセージは第１パラメータの組み合わせを設定した場合の端末能力を送信するように前記端末装置に指示するための第４指示情報を含み、前記第１パラメータの組み合わせは前記第１基本パラメータセットと、前記第１キャリア帯域幅とを含むことを特徴とする
請求項９〜１２のいずれか１項に記載の通信方法。
【請求項１４】
前記ネットワーク機器が前記端末装置から端末能力情報を受信することは、
前記ネットワーク機器が無線リソース制御（ＲＲＣ）シグナリングを介して前記端末能力情報を受信することを含むことを特徴とする
請求項８〜１３のいずれか１項に記載の通信方法。
【請求項１５】
端末装置であって、
前記端末装置の第１パラメータを設定した場合の端末能力及び／又は前記端末装置の第２パラメータに対するサポート能力を示すための端末能力情報を生成するための生成モジュールと、
ネットワーク機器に前記端末能力情報を送信するための送信モジュールと、を含む、ことを特徴とする端末装置。
【請求項１６】
前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含むことを特徴とする
請求項１５に記載の端末装置。
【請求項１７】
前記第２基本パラメータセットがＭ種の基本パラメータセットであり、前記端末能力情報は前記端末装置の前記Ｍ種の基本パラメータセットのうちの各種の基本パラメータセットに対するサポート能力を示すための第１情報を含むことを特徴とする
請求項１６に記載の端末装置。
【請求項１８】
前記第２キャリア帯域幅がＮ種のキャリア帯域幅であり、前記端末能力情報は前記端末装置の前記Ｎ種のキャリア帯域幅のうちの各種のキャリア帯域幅に対するサポート能力を示すための第２情報を含むことを特徴とする
請求項１６又は１７に記載の端末装置。
【請求項１９】
前記端末能力情報は前記端末装置の第２パラメータの組み合わせに対するサポート能力を示すための第３情報を含み、前記第２パラメータの組み合わせは前記第２基本パラメータセットと、前記第２キャリア帯域幅とを含むことを特徴とする
請求項１６〜１８のいずれか１項に記載の端末装置。
【請求項２０】
前記端末能力情報は前記端末装置の第１パラメータの組み合わせを設定した場合の端末能力を示すための第４情報を含み、前記第１パラメータの組み合わせは前記第１基本パラメータセットと、前記第１キャリア帯域幅とを含むことを特徴とする
請求項１６〜１９のいずれか１項に記載の端末装置。
【請求項２１】
前記送信モジュールは具体的に無線リソース制御（ＲＲＣ）シグナリングを介して前記端末能力情報を送信することに用いられることを特徴とする
請求項１５〜２０のいずれか１項に記載の端末装置。
【請求項２２】
ネットワーク機器であって、
端末装置の第１パラメータを設定した場合の端末能力及び／又は前記端末装置の第２パラメータに対するサポート能力を送信するように前記端末装置に指示するための指示メッセージを前記端末装置に送信するための送信モジュールと、
前記端末装置から前記端末装置の前記第１パラメータを設定した場合の端末能力及び／又は前記端末装置の前記第２パラメータに対するサポート能力を示すための端末能力情報を受信するための受信モジュールと、を含む、ことを特徴とするネットワーク機器。
【請求項２３】
前記第１パラメータは第１基本パラメータセット、第１キャリア帯域幅、のうちの少なくとも１つを含み、及び／又は、前記第２パラメータは第２基本パラメータセット、第２キャリア帯域幅のうちの少なくとも１つを含むことを特徴とする
請求項２２に記載のネットワーク機器。
【請求項２４】
前記第２基本パラメータセットがＭ種の基本パラメータセットであり、前記指示メッセージは前記Ｍ種の基本パラメータセットのうちの各種の基本パラメータセットに対するサポート能力を送信するように前記端末装置に指示するための第１指示情報を含むことを特徴とする
請求項２３に記載のネットワーク機器。
【請求項２５】
前記第２キャリア帯域幅がＮ種のキャリア帯域幅であり、前記指示メッセージは前記Ｎ種のキャリア帯域幅のうちの各種のキャリア帯域幅に対するサポート能力を送信するように前記端末装置に指示するための第２指示情報を含むことを特徴とする
請求項２３又は２４に記載のネットワーク機器。
【請求項２６】
前記指示メッセージは第２パラメータの組み合わせに対するサポート能力を送信するように前記端末装置に指示するための第３指示情報を含み、前記第２パラメータの組み合わせは前記第２基本パラメータセットと、前記第２キャリア帯域幅とを含むことを特徴とする
請求項２３〜２５のいずれか１項に記載のネットワーク機器。
【請求項２７】
前記指示メッセージは第１パラメータの組み合わせを設定した場合の端末能力を送信するように前記端末装置に指示するための第４指示情報を含み、前記第１パラメータの組み合わせは前記第１基本パラメータセットと、前記第１キャリア帯域幅とを含むことを特徴とする
請求項２３〜２６のいずれか１項に記載のネットワーク機器。
【請求項２８】
前記受信モジュールは具体的に無線リソース制御（ＲＲＣ）シグナリングを介して前記端末能力情報を受信することに用いられることを特徴とする
請求項２２〜２７のいずれか１項に記載のネットワーク機器。
【発明の詳細な説明】
【技術分野】
【０００１】
本発明は通信分野に関し、特に通信方法、ネットワーク機器及び端末装置に関する。
【背景技術】
【０００２】
通信技術の発展に伴い、第５世代（５ｔｈ  Ｇｅｎｅｒａｔｉｏｎ）において、５Ｇシステムは様々な設定パラメータをサポートすることができる。そして、端末装置の端末能力も端末装置のサポートする設定パラメータに関わる。例えば、ロングタームエボリューション（ＬＴＥ：Ｌｏｎｇ  Ｔｅｒｍ  Ｅｖｏｌｕｔｉｏｎ）システムに対して、基本パラメータセットに含まれるサブキャリア（ｓｕｂｃａｒｒｉｅｒ）幅（１５ｋＨｚ）及びシンボル（ｓｙｍｂｏｌ）長さ（１／１５ｋＨｚ＝６６．６７ｕｓ）が一定である。そして、５Ｇシステムは様々な異なるタイプの基本パラメータセットをサポートすることができ、５Ｇシステムにおける端末装置も様々な異なるタイプの基本パラメータセットをサポートすることができる。異なる基本パラメータセットに対して、端末装置の端末能力も異なる。しかしながら、従来技術において、端末装置が端末能力情報を報告するとき、端末装置が複数の設定パラメータをサポートする際に端末能力をどのように報告するかを考慮していないため、通信効率に悪影響を与えてしまう。
【発明の概要】
【発明が解決しようとする課題】
【０００３】
通信効率を向上させるために、本発明は通信方法、ネットワーク機器及び端末装置を提供する。
【課題を解決するための手段】
【０００４】
第１態様に係る通信方法であって、端末装置が前記端末装置の第１パラメータを設定した場合の端末能力及び／又は前記端末装置の第２パラメータに対するサポート能力を示すための端末能力情報を生成することと、前記端末装置がネットワーク機器に前記端末能力情報を送信することと、を含む。
【０００５】
端末装置がネットワーク機器に端末能力情報を送信し、該端末能力情報は端末装置の様々な第１パラメータを設定した場合の端末能力及び／又は端末装置の第２パラメータに対するサポート能力を示すことができ、ネットワークが端末装置を指向的にスケジューリングすることに役立ち、ネットワークの通信効率及びシステムのスケジューリング効率を向上させる。
【０００６】
第１態様を参照して、第１態様の第１可能な実現手段では、前記第１パラメータは第１基本パラメータセット、第１キャリア帯域幅のうちの少なくとも１つを含み、及び／又は前記第２パラメータは第２基本パラメータセット、第２キャリア帯域幅のうちの少なくとも１つを含む。
【０００７】
第１態様の第１可能な実現手段を参照して、第１態様の第２可能な実現手段では、前記第２基本パラメータセットがＭ種の基本パラメータセットであり、前記端末能力情報は前記端末装置の前記Ｍ種の基本パラメータセットのうちの各種の基本パラメータセットに対するサポート能力を示すための第１情報を含む。
【０００８】
第１態様の第１又は第２可能な実現手段を参照して、第１態様の第３可能な実現手段では、前記第２キャリア帯域幅がＮ種のキャリア帯域幅であり、前記端末能力情報は前記端末装置の前記Ｎ種のキャリア帯域幅のうちの各種のキャリア帯域幅に対するサポート能力を示すための第２情報を含む。
【０００９】
第１態様の上記いずれか１つの可能な実現手段を参照して、第１態様の第４可能な実現手段では、前記端末能力情報は前記端末装置の第２パラメータの組み合わせに対するサポート能力を示すための第３情報を含み、前記第２パラメータの組み合わせは前記第２基本パラメータセットと、前記第２キャリア帯域幅とを含む。
【００１０】
第１態様の上記いずれか１つの可能な実現手段を参照して、第１態様の第５可能な実現手段では、前記端末能力情報は前記端末装置の第１パラメータの組み合わせを設定した場合の端末能力を示すための第４情報を含み、前記第１パラメータの組み合わせは前記第１基本パラメータセットと前記第１キャリア帯域幅とを含む。
【００１１】
第１態様又は第１態様の上記いずれか１つの可能な実現手段を参照して、第１態様の第６可能な実現手段では、前記端末装置がネットワーク機器に前記端末能力情報を送信することは、前記端末装置が無線リソース制御（ＲＲＣ）シグナリングを介して前記端末能力情報を送信することを含む。
【００１２】
第２態様に係る通信方法であって、ネットワーク機器が端末装置の第１パラメータを設定した場合の端末能力及び／又は前記端末装置の第２パラメータに対するサポート能力を送信するように前記端末装置に指示するための指示メッセージを端末装置に送信することと、前記ネットワーク機器が前記端末装置から前記端末装置の前記第１パラメータを設定した場合の端末能力及び／又は前記端末装置の前記第２パラメータに対するサポート能力を示すための端末能力情報を受信することと、を含む。
【００１３】
ネットワーク機器が端末能力情報に基づいてシステムスケジューリング又は関連操作を行い、通信効率及びシステムのスケジューリング効率を向上させるために、ネットワーク機器が端末装置の第１パラメータを設定した場合の端末能力及び／又は端末装置の第２パラメータに対するサポート能力を送信するように該端末装置に指示するための指示メッセージを端末装置に送信する。
【００１４】
第２態様を参照して、第２態様の第１可能な実現手段では、前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含む。
【００１５】
第２態様の第１可能な実現手段を参照して、第２態様の第２可能な実現手段では、前記第２基本パラメータセットがＭ種の基本パラメータセットであり、前記指示メッセージは前記Ｍ種の基本パラメータセットのうちの各種の基本パラメータセットに対するサポート能力を送信するように前記端末装置に指示するための第１指示情報を含む。
【００１６】
第２態様の第１又は第２可能な実現手段を参照して、第２態様の第３可能な実現手段では、前記第２キャリア帯域幅がＮ種のキャリア帯域幅であり、前記指示メッセージは前記Ｎ種のキャリア帯域幅のうちの各種のキャリア帯域幅に対するサポート能力を送信するように前記端末装置に指示するための第２指示情報を含む。
【００１７】
第２態様の上記いずれか１つの可能な実現手段を参照して、第２態様の第４可能な実現手段では、前記指示メッセージは第２パラメータの組み合わせに対するサポート能力を送信するように前記端末装置に指示するための第３指示情報を含み、前記第２パラメータの組み合わせは前記第２基本パラメータセットと、前記第２キャリア帯域幅とを含む。
【００１８】
第２態様の上記いずれか１つの可能な実現手段を参照して、第２態様の第５可能な実現手段では、前記指示メッセージは前記端末装置の第１パラメータの組み合わせを設定した場合の端末能力を送信するように前記端末装置に指示するための第４指示情報を含み、前記第１パラメータの組み合わせは前記第１基本パラメータセットと前記第１キャリア帯域幅とを含む。
【００１９】
第２態様又は第２態様の上記いずれか１つの可能な実現手段を参照して、第２態様の第６可能な実現手段では、前記ネットワーク機器が前記端末装置から端末能力情報を受信することは、前記ネットワーク機器が無線リソース制御（ＲＲＣ）シグナリングを介して前記端末能力情報を受信することを含む。
【００２０】
第３態様に係る端末装置であって、前記端末装置の第１パラメータを設定した場合の端末能力及び／又は前記端末装置の第２パラメータに対するサポート能力を示すための端末能力情報を生成するための生成モジュールと、ネットワーク機器に前記端末能力情報を送信するための送信モジュールと、を含む。
【００２１】
第４態様に係るネットワーク機器であって、前記端末装置の第１パラメータを設定した場合の端末能力及び／又は前記端末装置の第２パラメータに対するサポート能力を送信するように前記端末装置に指示するための指示メッセージを端末装置に送信するための送信モジュールと、前記端末装置から前記端末装置の前記第１パラメータを設定した場合の端末能力及び／又は前記端末装置の前記第２パラメータに対するサポート能力を示すための端末能力情報を受信するための受信モジュールと、を含む。
【００２２】
第５態様に係る端末装置であって、プログラムを記憶するためのメモリと、他の装置と通信するための送受信機と、メモリにおけるプログラムを実行することに用いられ、前記プログラムが実行されるとき、前記端末装置の第１パラメータを設定した場合の端末能力及び／又は前記端末装置の第２パラメータに対するサポート能力を示すための端末能力情報を生成することに用いられ、且つ、送受信機６２０によってネットワーク機器に前記端末能力情報を送信することに用いられるプロセッサと、を備える。
【００２３】
第６態様に係るネットワーク機器であって、プログラムを記憶するためのメモリと、他の装置と通信するための送受信機と、メモリにおけるプログラムを実行することに用いられ、前記プログラムが実行されるとき、前記送受信機によって前記端末装置の第１パラメータを設定した場合の端末能力及び／又は前記端末装置の第２パラメータに対するサポート能力を送信するように前記端末装置に指示するための指示メッセージを端末装置に送信することに用いられ、且つ、前記送受信機によって前記端末装置から前記端末装置の前記第１パラメータを設定した場合の端末能力及び／又は前記端末装置の前記第２パラメータに対するサポート能力を示すための端末能力情報を受信することに用いられるプロセッサと、を備える。
【００２４】
第７態様に係るコンピュータチップであって、入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第１態様及び様々な実現手段の通信方法における端末装置で実行される各プロセスを実現することができる。
【００２５】
第８態様に係るコンピュータチップであって、入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第２態様及び様々な実現手段の通信方法におけるネットワーク機器で実行される各プロセスを実現することができる。
【００２６】
第９態様に係るコンピュータ可読記憶媒体であって、前記コンピュータ可読記憶媒体にプログラムが記憶され、前記プログラムによって端末装置が上記第１態様及びその様々な実現手段のいずれか１つの通信方法を実行する。
【００２７】
第１０態様に係るコンピュータ可読記憶媒体であって、前記コンピュータ可読記憶媒体にプログラムが記憶され、前記プログラムによってネットワーク機器が上記第２態様及び様々な実現手段のいずれか１つの通信方法を実行する。
【図面の簡単な説明】
【００２８】
【図１】図１は本発明の実施例の応用シーンの模式図である。
【図２】図２は本発明の実施例の通信方法の模式図である。
【図３】図３は本発明の他の実施例の通信方法の模式図である。
【図４】図４は本発明の実施例の端末装置の模式的な構造図である。
【図５】図５は本発明の実施例のネットワーク機器の模式的な構造図である。
【図６】図６は本発明の別の実施例の端末装置の模式的な構造図である。
【図７】図７は本発明の別の実施例のネットワーク機器の模式的な構造図である。
【発明を実施するための形態】
【００２９】
本発明の実施例の技術案をより明確に説明するために、以下に本発明の実施例の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００３０】
以下、本発明の実施例の図面を参照しながら、本発明の実施例の技術案を明確且つ完全に説明し、無論、説明される実施例は本発明の実施例の一部であり、実施例のすべてではない。本発明の実施例に基づき、当業者が進歩性のある労働を必要とせずに得られる他の実施例は、いずれも本発明の保護範囲に属する。
【００３１】
本発明の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はマイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又は新無線（ＮＲ：Ｎｅｗ  Ｒａｄｉｏ）システムに適用されてもよいと理解すべきである。
【００３２】
本発明の実施例において、用語「ネットワーク」及び「システム」が常に交互に使用されているが、当業者がその意味を理解できる。本発明の実施例に関わる端末装置は無線通信機能を有する様々な携帯端末、車載装置、ウェアラブル端末、計算装置又は無線モデムに接続される他の処理装置、及び様々なタイプのユーザー装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、端末（ｔｅｒｍｉｎａｌ）、端末装置（ｔｅｒｍｉｎａｌ  ｄｅｖｉｃｅ）等を含んでもよい。説明しやすくするために、本発明の実施例において、以上に言及された装置は端末装置と総称される。
【００３３】
本発明の実施例におけるネットワーク機器は端末装置と通信するための装置であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク機器は中継所、アクセスポイント、車載装置、ウェアラブル端末及び将来の５Ｇネットワークにおけるネットワーク機器又は将来発展するＰＬＭＮネットワークにおけるネットワーク機器等であってもよく、本発明の実施例は制限しない。
【００３４】
ただし、本発明の実施例における基本パラメータセットはｎｕｍｅｒｏｌｏｇｙと称されてもよく、通信システム（例えば、セルラーシステム）における最も基本的なパラメータを指してもよい。例えば、ＬＴＥシステム又は５Ｇシステムに対して、ｎｕｍｅｒｏｌｏｇｙはシステムのサブキャリア間隔、シンボル幅等を含んでもよい。
【００３５】
図１は本発明の実施例の通信方法の応用シーンの模式図である。図１に示すように、該応用シーンはネットワーク機器及び端末装置を含んでもよく、ネットワーク機器及び端末装置が無線リンクを介して通信できる。
【００３６】
図２に本発明の実施例の通信方法２００を示し、該方法２００は端末装置で実行されてもよく、方法２００は以下を含む。
【００３７】
Ｓ２０１において、端末装置が前記端末装置の第１パラメータを設定した場合の端末能力及び／又は前記端末装置の第２パラメータに対するサポート能力を示すための端末能力情報を生成する。
【００３８】
無線ネットワークにおいて、異なる技術の端末装置に対する要件が異なり、例えばＬＴＥシステムにおけるキャリアアグリゲーション技術（ｃａｒｒｉｅｒ  ａｇｇｒｅｇａｔｉｏｎ）に対して、端末のサポートするキャリアアグリゲーション数は２キャリアアグリゲーション、３キャリアアグリゲーション等であり、且つ異なる周波数バンド（ｂａｎｄ）におけるキャリアアグリゲーション及びその数に対するサポートが異なる。このため、端末装置は自体の様々な技術に対するサポート能力をネットワーク側に報告し、つまり端末能力（ＵＥ  ｃａｐａｂｉｌｉｔｙ）を報告する必要がある。例えば、キャリアアグリゲーション技術に対して、端末装置は様々な周波数バンドにおけるサポートできるキャリアアグリゲーション数（どのくらいのキャリアをアグリゲーションできるか）及びタイプ（アップリンク又はダウンリンク）キャリアアグリゲーションをネットワーク機器に報告する必要がある。
【００３９】
上記第１パラメータ及び第２パラメータは１種又は複数種のパラメータであってもよく、端末装置の様々な第１パラメータを設定した場合に対応する端末能力が異なってもよく、同時に、端末装置が１種又は複数種の第２パラメータをサポートできる。例えば、同一端末装置は複数種の基本パラメータセットをサポートでき、端末装置に設定された基本パラメータセットが異なる場合、端末装置の端末能力も異なる。端末装置は端末能力情報によって端末装置の様々な基本パラメータセットを設定する際に対応する端末能力を報告することができる。又は、端末装置は端末能力情報によって端末装置の様々な基本パラメータセットに対するサポート能力を報告することができる。
【００４０】
任意選択で、上記第１パラメータは第１基本パラメータセット、第１キャリア帯域幅のうちの少なくとも１つを含んでもよい。及び／又は、上記第２パラメータは第２基本パラメータセット、第２キャリア帯域幅のうちの少なくとも１つを含んでもよい。上記第１パラメータ及び第２パラメータは少なくとも一部が同じであるパラメータであってもよいと理解すべきである。又は、上記第１パラメータ及び第２パラメータは更に異なるパラメータであってもよい。例えば、上記第１基本パラメータセット及び第２基本パラメータセットは少なくとも一部が同じである基本パラメータセットであってもよいし、異なる基本パラメータセットであってもよく、上記第１キャリア帯域幅及び第２キャリア帯域幅は更に少なくとも一部が同じであるキャリア帯域幅であってもよいし、異なるキャリア帯域幅であってもよい。
【００４１】
任意選択で、第１基本パラメータセット、第１キャリア帯域幅は前記端末装置のサポートする基本パラメータセット、キャリア帯域幅であってもよい。上記第１基本パラメータセット、第１キャリア帯域幅は１種又は複数種の基本パラメータセット、１種又は複数種のキャリア帯域幅を指してもよい。第１基本パラメータセット、第２キャリア帯域幅は端末装置のサポートするすべての基本パラメータセット、すべてのキャリア帯域幅であってもよいし、端末装置のサポートする一部の基本パラメータセット、一部のキャリア帯域幅であってもよい。
【００４２】
任意選択で、上記端末装置の第１パラメータを設定した場合の端末能力は、端末装置の第１基本パラメータセット及び／又は第１キャリア帯域幅を設定した場合に対応する端末能力であってもよい。例えば、上記端末装置の第１パラメータを設定した場合の端末能力は、端末装置の複数種の基本パラメータセットのうちの各種の基本パラメータセットを設定した場合の端末能力、端末装置の複数種のキャリア帯域幅のうちの各種のキャリア帯域幅を設定した場合の端末能力、又は端末装置の第１基本パラメータセット及び第１キャリア帯域幅の組み合わせを設定した場合の端末能力であってもよい。
【００４３】
端末装置の様々な基本パラメータセットを設定した場合に対応する端末能力が異なると理解すべきである。端末装置の様々なキャリア帯域幅を設定した場合に対応する端末能力（例えば、キャリアアグリゲーションに対するサポート能力）も異なる。
【００４４】
任意選択で、該端末能力情報は更に端末装置の第２パラメータに対するサポート能力情報を含んでもよい。例えば、端末能力情報は端末装置の第２基本パラメータセット及び／又は第２キャリア帯域幅に対するサポート能力を示す情報を含んでもよい。
【００４５】
任意選択で、上記端末能力はユーザー装置（ＵＥ）能力（ｃａｐａｂｉｌｉｔｙ）とも称されてもよい。
【００４６】
Ｓ２０２において、前記端末装置がネットワーク機器に前記端末能力情報を送信する。
【００４７】
本発明の実施例において、端末装置がネットワーク機器に端末能力情報を送信し、該端末能力情報は端末装置の様々な第１パラメータを設定した場合の端末能力及び／又は端末装置の第２パラメータに対するサポート能力を示すことができ、ネットワークが端末装置を指向的にスケジューリングすることに役立ち、ネットワークの通信効率及びシステムのスケジューリング効率を向上させる。
【００４８】
任意選択で、方法２００において、端末装置が端末能力情報を受信する前に、端末装置はネットワーク機器から送信された、端末装置の第１パラメータを設定した場合の端末能力及び／又は前記端末装置の第２パラメータに対するサポート能力を送信するように端末装置に指示するための指示メッセージを受信することができ、端末装置は前記指示メッセージに基づいてネットワーク機器に前記端末能力情報を送信することができる。
【００４９】
任意選択で、方法２００において、前記第２基本パラメータセットがＭ種の基本パラメータセットであってもよく、前記端末能力情報は前記端末装置の前記Ｍ（Ｍ≧１）種の基本パラメータセットのうちの各種の基本パラメータセットに対するサポート能力を示すための第１情報を含む。
【００５０】
本発明の実施例において、端末装置の通信効率を向上させるために、端末装置は端末能力情報には端末装置がどの基本パラメータセットをサポートするか及び／又はサポートしないかを示すことができる。
【００５１】
任意選択で、端末装置がネットワーク機器から受信された指示メッセージは第１指示情報を含んでもよく、前記第１指示情報は前記Ｍ種の基本パラメータセットのうちの各種の基本パラメータセットに対するサポート能力を送信するように端末装置に指示することに用いられてもよい。
【００５２】
例えば、端末装置は無線リソース制御（ＲＲＣ：Ｒａｄｉｏ  Ｒｅｓｏｕｒｃｅ  ｃｏｎｔｒｏｌ）シグナリングによって該端末能力情報を送信することができる。例えば、端末装置はＲＲＣシグナリングによって、列挙することで、端末装置のサポートする基本パラメータセットを報告することができる。又は、端末装置は更にネットワーク機器に予め設定された基本パラメータセットリストに基づいて、ビットマップ（ｂｉｔｍａｐ）の形式でネットワーク機器に端末能力情報を報告することができる。該リストにおける各エントリーはネットワーク機器のサポートできる１種の基本パラメータセットを示すことができ、端末装置は端末装置がリストにおける各項の基本パラメータセットをサポートするか又はサポートしないかを決定して、ビットマップによってネットワーク機器に端末装置のサポートする及び／又はサポートしない基本パラメータセットを示すことができ、該ビットマップにおける各ビットが該リストにおける１項の基本パラメータセットに対応する。例えば、ビットを１として設定するとき、端末装置が該ビットに対応する基本パラメータセットをサポートすることを示してもよく、ビットを０として設定するとき、端末装置が該ビットに対応する基本パラメータセットをサポートしないことを示してもよい。又は、更に他の方法でネットワーク機器に端末能力情報を送信してもよく、本発明の実施例は制限しない。
【００５３】
任意選択で、方法２００において、前記端末能力情報は前記端末装置の第１基本パラメータセットを設定した場合に対応する端末能力を示す情報を含んでもよい。例えば、表１に示すように、端末装置は表１に基づいて端末装置の第１基本パラメータセットを設定した場合に対応する端末能力をネットワーク機器に報告することができる。
【表１】
2019527944.tif 000003
【００５４】
任意選択で、方法２００において、前記第２キャリア帯域幅がＮ種のキャリア帯域幅であってもよく、前記端末能力情報は前記端末装置の前記Ｎ（Ｎ≧１）種のキャリア帯域幅のうちの各種のキャリア帯域幅に対するサポート能力を示すための第２情報を含む。
【００５５】
本発明の実施例において、ネットワーク機器が端末能力情報に基づいてシステムスケジューリング又は他の操作を行い、通信効率を向上させるために、端末装置は端末能力情報には端末装置がどのキャリア帯域幅をサポートするか及び／又はサポートしないかを示すことができる。
【００５６】
任意選択で、端末装置がネットワーク機器から受信された指示メッセージは第２指示情報を含んでもよく、前記第２指示情報は前記Ｎ種のキャリア帯域幅のうちの各種のキャリア帯域幅に対するサポート能力を送信するように端末装置に指示することに用いられてもよい。
【００５７】
例えば、端末装置は更にＲＲＣシグナリングを用いて、列挙することで、端末装置のサポートする第２キャリア帯域幅をネットワーク機器に送信することができる。又は、以上と同様に、端末装置は更にネットワーク機器に設定されたリストに基づいて、ビットマップによってネットワーク機器に端末装置の第２キャリア帯域幅に対するサポート能力を示すことができる。例えば、リストにおける各エントリーはネットワーク機器のサポートする１項のキャリア帯域幅を示してもよく、ビットマップにおける各ビットはリストにおける１項のキャリア帯域幅に対応してもよい。ビットに１又は０値を与えることで、端末装置が対応するキャリア帯域幅をサポートするかどうかを示すことができる。
【００５８】
任意選択で、方法２００において、前記端末能力情報は前記端末装置の第１キャリア帯域幅を設定した場合に対応する端末能力を示す情報を含んでもよい。例えば、表２に示すように、端末装置は表２に基づいて端末装置の第１キャリア帯域幅を設定した場合に対応する端末能力をネットワーク機器に報告することができる。
【表２】
2019527944.tif 000004
【００５９】
任意選択で、方法２００において、前記端末能力情報は前記端末装置の第２パラメータの組み合わせに対するサポート能力を示すための第３情報を含み、前記第２パラメータの組み合わせは前記第２基本パラメータセットと、前記第２キャリア帯域幅とを含む。
【００６０】
本発明の実施例において、ネットワーク機器が端末能力情報に基づいてシステムスケジューリング又は他の操作を行い、通信効率を向上させるために、端末装置は端末能力情報には端末装置がどの基本パラメータセット及びキャリア帯域幅の組み合わせをサポートするか及び／又はサポートしないかを示すことができる。
【００６１】
任意選択で、端末装置がネットワーク機器から受信された指示メッセージは第３指示情報を含んでもよく、前記第３指示情報は第２パラメータの組み合わせに対するサポート能力を送信するように前記端末装置に指示することに用いられてもよく、前記第２パラメータの組み合わせは前記第２基本パラメータセットと、前記第２キャリア帯域幅とを含む。
【００６２】
例えば、端末装置は更にＲＲＣシグナリングを用いて、列挙することで、端末装置のサポートする第２基本パラメータセット及び第２キャリア帯域幅の組み合わせをネットワーク機器に送信することができる。又は、端末装置は更にネットワーク機器に設定されたリストに基づいて、ビットマップによってネットワーク機器に端末装置の第２基本パラメータセット及び第２キャリア帯域幅の組み合わせに対するサポート能力を示すことができる。例えば、リストにおける１つのエントリーはネットワーク機器のサポートする１種の第２パラメータセットを示してもよく、ビットマップにおける各ビットがリストにおける１種の第２パラメータセットに対応する。ビットに１又は０値を与えることで、端末装置が対応する第２パラメータセットをサポートするかどうかを示すことができる。
【００６３】
任意選択で、方法２００において、前記端末能力情報は前記端末装置の第１パラメータの組み合わせを設定した場合の端末能力を示すための第４情報を含み、前記第１パラメータの組み合わせは前記第１基本パラメータセットと前記第１キャリア帯域幅とを含む。
【００６４】
本発明の実施例において、ネットワーク機器が端末能力情報に基づいてシステムスケジューリング又は他の操作を行い、通信効率を向上させるために、端末装置は端末能力情報には端末装置の第１パラメータの組み合わせを設定した場合の端末能力を示すことができる。
【００６５】
任意選択で、端末装置がネットワーク機器から受信された指示メッセージは第４指示情報を含んでもよく、前記第４指示情報は第１パラメータの組み合わせに対するサポート能力を送信するように端末装置に指示することに用いられてもよく、前記第１パラメータの組み合わせは前記第１基本パラメータセットと前記第１キャリア帯域幅とを含む。
【００６６】
端末装置が異なる基本パラメータセット及びキャリア帯域幅の組み合わせを設定するとき、様々な端末能力に対するサポートが異なる。例えば、１０２４ＱＡＭは端末装置が特定の基本パラメータセット及びキャリア帯域幅の組み合わせを設定した場合しか端末装置にサポートされない。このため、表３に示すように、端末装置は異なる基本パラメータセット及びキャリア帯域幅の組み合わせに対して端末装置能力を報告することができる。例えば、端末装置のサポートするある特定の技術に対して、端末装置は表３の形式で端末装置の様々な基本パラメータセット及びキャリア帯域幅の組み合わせにおける端末能力をネットワーク機器に報告することができる。
【表３】
2019527944.tif 000005
【００６７】
図３に本発明の実施例の通信方法３００を示し、該方法はネットワーク機器で実行されてもよく、図３に示す方法における図２と同様又は類似する内容は図２における方法についての説明を参照してもよく、ここで詳細な説明は省略する。方法３００は、
ネットワーク機器が前記端末装置の第１パラメータを設定した場合の端末能力及び／又は前記端末装置の第２パラメータに対するサポート能力を送信するように前記端末装置に指示するための指示メッセージを端末装置に送信するＳ３０１と、
前記ネットワーク機器が前記端末装置から前記端末装置の前記第１パラメータを設定した場合の端末能力及び／又は前記端末装置の前記第２パラメータに対するサポート能力を示すための端末能力情報を受信するＳ３０２と、を含む。
【００６８】
本発明の実施例において、ネットワーク機器が端末能力情報に基づいてシステムスケジューリング又は関連操作を行い、通信効率及びシステムのスケジューリング効率を向上させるために、ネットワーク機器が該端末装置の第１パラメータを設定した場合の端末能力及び／又は端末装置の第２パラメータに対するサポート能力を送信するように端末装置に指示する指示メッセージを端末装置に送信する。
【００６９】
任意選択で、前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含む。
【００７０】
任意選択で、前記第２基本パラメータセットがＭ種の基本パラメータセットであり、前記指示メッセージは前記Ｍ種の基本パラメータセットのうちの各種の基本パラメータセットに対するサポート能力を送信するように前記端末装置に指示するための第１指示情報を含む。
【００７１】
任意選択で、前記第２キャリア帯域幅がＮ種のキャリア帯域幅であり、前記指示メッセージは前記Ｎ種のキャリア帯域幅のうちの各種のキャリア帯域幅に対するサポート能力を送信するように前記端末装置に指示するための第２指示情報を含む。
【００７２】
任意選択で、前記指示メッセージは前記端末装置の第２パラメータの組み合わせに対するサポート能力を示すための第３指示情報を含み、前記第２パラメータの組み合わせは前記第２基本パラメータセットと、前記第２キャリア帯域幅とを含む。
【００７３】
任意選択で、前記指示メッセージは第１パラメータの組み合わせを設定した場合の端末能力を送信するように前記端末装置に指示するための第４指示情報を含み、前記第１パラメータの組み合わせは前記第１基本パラメータセットと前記第１キャリア帯域幅とを含む。
【００７４】
任意選択で、前記ネットワーク機器が前記端末装置から端末能力情報を受信することは、前記ネットワーク機器が無線リソース制御（ＲＲＣ）シグナリングを介して前記端末能力情報を受信することを含む。
【００７５】
以上は図１〜図３を参照して本発明の実施例の通信方法を説明したが、以下、図４〜図７を参照しながら、本発明の実施例の端末装置及びネットワーク機器を詳しく説明する。
【００７６】
図４に本発明の実施例の端末装置の模式的なブロック図を示す。該端末装置は方法２００又は方法３００における端末装置で実行されるステップを実行することに用いられてもよい。図４に示す端末装置４００は、
前記端末装置４００の第１パラメータを設定した場合の端末能力及び／又は前記端末装置４００の第２パラメータに対するサポート能力を示すための端末能力情報を生成するための生成モジュール４１０と、
ネットワーク機器に前記端末能力情報を送信するための送信モジュール４２０と、を含む。
【００７７】
本発明の実施例において、端末装置がネットワーク機器に端末能力情報を送信し、該端末能力情報は端末装置の様々な第１パラメータを設定した場合の端末能力及び／又は端末装置の第２パラメータに対するサポート能力を示すことができ、ネットワークが端末装置を指向的にスケジューリングことに役立ち、ネットワークの通信効率及びシステムのスケジューリング効率を向上させる。
【００７８】
任意選択で、前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含む。
【００７９】
任意選択で、前記第２基本パラメータセットがＭ種の基本パラメータセットであり、前記端末能力情報は前記端末装置４００の前記Ｍ種の基本パラメータセットのうちの各種の基本パラメータセットに対するサポート能力を示すための第１情報を含む。
【００８０】
任意選択で、前記第２キャリア帯域幅がＮ種のキャリア帯域幅であり、前記端末能力情報は前記端末装置４００の前記Ｎ種のキャリア帯域幅のうちの各種のキャリア帯域幅に対するサポート能力を示すための第２情報を含む。
【００８１】
任意選択で、前記端末能力情報は前記端末装置４００の第２パラメータの組み合わせに対するサポート能力を示すための第３情報を含み、前記第２パラメータの組み合わせは前記第２基本パラメータセットと、前記第２キャリア帯域幅とを含む。
【００８２】
任意選択で、前記端末能力情報は前記端末装置４００の第１パラメータの組み合わせを設定した場合の端末能力を示すための第４情報を含み、前記第１パラメータの組み合わせは前記第１基本パラメータセットと前記第１キャリア帯域幅とを含む。
【００８３】
任意選択で、前記送信モジュール４２０は具体的に無線リソース制御（ＲＲＣ）シグナリングを介して前記端末能力情報を送信することに用いられる。
【００８４】
図５に本発明の実施例のネットワーク機器の模式的なブロック図を示す。該ネットワーク機器は方法２００又は方法３００におけるネットワーク機器で実行されるステップを実行することに用いられてもよい。図５に示すネットワーク機器５００は、
前記端末装置の第１パラメータを設定した場合の端末能力及び／又は前記端末装置の第２パラメータに対するサポート能力を送信するように前記端末装置に指示するための指示メッセージを端末装置に送信するための送信モジュール５１０と、
前記端末装置から前記端末装置の前記第１パラメータを設定した場合の端末能力及び／又は前記端末装置の前記第２パラメータに対するサポート能力を示すための端末能力情報を受信するための受信モジュール５２０と、を含む。
【００８５】
本発明の実施例において、ネットワーク機器が端末能力情報に基づいてシステムスケジューリング又は関連操作を行い、通信効率及びシステムのスケジューリング効率を向上させるために、ネットワーク機器が該端末装置の第１パラメータを設定した場合の端末能力及び／又は端末装置の第２パラメータに対するサポート能力を送信するように該端末装置に指示する指示メッセージを端末装置に送信する。
【００８６】
任意選択で、前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含む。
【００８７】
任意選択で、前記第２基本パラメータセットがＭ種の基本パラメータセットであり、前記指示メッセージは前記Ｍ種の基本パラメータセットのうちの各種の基本パラメータセットに対するサポート能力を送信するように前記端末装置に指示するための第１指示情報を含む。
【００８８】
任意選択で、前記第２キャリア帯域幅がＮ種のキャリア帯域幅であり、前記指示メッセージは前記Ｎ種のキャリア帯域幅のうちの各種のキャリア帯域幅に対するサポート能力を送信するように前記端末装置に指示するための第２指示情報を含む。
【００８９】
任意選択で、前記指示メッセージは第２パラメータの組み合わせに対するサポート能力を送信するように前記端末装置に指示するための第３指示情報を含み、前記第２パラメータの組み合わせは前記第２基本パラメータセットと、前記第２キャリア帯域幅とを含む。
【００９０】
任意選択で、前記指示メッセージは前記端末装置の第１パラメータの組み合わせを設定した場合の端末能力を送信するように前記端末装置に指示するための第４指示情報を含み、前記第１パラメータの組み合わせは前記第１基本パラメータセットと前記第１キャリア帯域幅とを含む。
【００９１】
任意選択で、前記受信モジュールは具体的に無線リソース制御（ＲＲＣ）シグナリングを介して前記端末能力情報を受信することに用いられる。
【００９２】
図６に本発明の実施例の端末装置の模式的なブロック図を示す。該端末装置は方法２００又は方法３００における端末装置で実行されるステップを実行することに用いられてもよい。図６に示す端末装置６００は、
プログラムを記憶するためのメモリ６１０と、
他の装置と通信するための送受信機６２０と、
メモリ６１０におけるプログラムを実行することに用いられ、前記プログラムが実行されるとき、前記端末装置６００の第１パラメータを設定した場合の端末能力及び／又は前記端末装置６００の第２パラメータに対するサポート能力を示すための端末能力情報を生成することに用いられ、且つ、送受信機６２０によってネットワーク機器に前記端末能力情報を送信することに用いられるプロセッサ６３０と、を備える。
【００９３】
本発明の実施例において、端末装置がネットワーク機器に端末能力情報を送信し、該端末能力情報は端末装置の様々な第１パラメータを設定した場合の端末能力及び／又は端末装置の第２パラメータに対するサポート能力を示すことができ、ネットワークが端末装置を指向的にスケジューリングすることに役立ち、ネットワークの通信効率及びシステムのスケジューリング効率を向上させる。
【００９４】
任意選択で、前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含む。
【００９５】
任意選択で、前記第２基本パラメータセットがＭ種の基本パラメータセットであり、前記端末能力情報は前記端末装置６００の前記Ｍ種の基本パラメータセットのうちの各種の基本パラメータセットに対するサポート能力を示すための第１情報を含む。
【００９６】
任意選択で、前記第２キャリア帯域幅がＮ種のキャリア帯域幅であり、前記端末能力情報は前記端末装置６００の前記Ｎ種のキャリア帯域幅のうちの各種のキャリア帯域幅に対するサポート能力を示すための第２情報を含む。
【００９７】
任意選択で、前記端末能力情報は前記端末装置６００の第２パラメータの組み合わせに対するサポート能力を示すための第３情報を含み、前記第２パラメータの組み合わせは前記第２基本パラメータセットと、前記第２キャリア帯域幅とを含む。
【００９８】
任意選択で、前記端末能力情報は前記端末装置６００の第１パラメータの組み合わせを設定した場合の端末能力を示すための第４情報を含み、前記第１パラメータの組み合わせは前記第１基本パラメータセットと前記第１キャリア帯域幅とを含む。
【００９９】
任意選択で、前記プロセッサ６３０は具体的に送受信機６２０によって無線リソース制御（ＲＲＣ）シグナリングを介して前記端末能力情報を送信することに用いられる。
【０１００】
図７に本発明の実施例のネットワーク機器の模式的なブロック図を示す。該ネットワーク機器は方法２００又は方法３００におけるネットワーク機器で実行されるステップを実行することに用いられてもよい。図７に示すネットワーク機器７００は、
プログラムを記憶するためのメモリ７１０と、
他の装置と通信するための送受信機７２０と、
メモリ７１０におけるプログラムを実行することに用いられ、前記プログラムが実行されるとき、前記送受信機７２０によって前記端末装置の第１パラメータを設定した場合の端末能力及び／又は前記端末装置の第２パラメータに対するサポート能力を送信するように前記端末装置に指示するための指示メッセージを端末装置に送信することに用いられ、且つ、前記送受信機７２０によって前記端末装置から前記端末装置の前記第１パラメータを設定した場合の端末能力及び／又は前記端末装置の前記第２パラメータに対するサポート能力を示すための端末能力情報を受信することに用いられるプロセッサ７３０と、を備える。
【０１０１】
本発明の実施例において、ネットワーク機器が端末能力情報に基づいてシステムスケジューリング又は関連操作を行い、通信効率及びシステムのスケジューリング効率を向上させるために、ネットワーク機器が該端末装置の第１パラメータを設定した場合の端末能力及び／又は端末装置の第２パラメータに対するサポート能力を示す指示メッセージを端末装置に送信する。
【０１０２】
任意選択で、前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含む。
【０１０３】
任意選択で、前記第２基本パラメータセットがＭ種の基本パラメータセットであり、前記指示メッセージは前記Ｍ種の基本パラメータセットのうちの各種の基本パラメータセットに対するサポート能力を送信するように前記端末装置に指示するための第１指示情報を含む。
【０１０４】
任意選択で、前記第２キャリア帯域幅がＮ種のキャリア帯域幅であり、前記指示メッセージは前記Ｎ種のキャリア帯域幅のうちの各種のキャリア帯域幅に対するサポート能力を送信するように前記端末装置に指示するための第２指示情報を含む。
【０１０５】
任意選択で、前記指示メッセージは第２パラメータの組み合わせに対するサポート能力を送信するように前記端末装置に指示するための第３指示情報を含み、前記第２パラメータの組み合わせは前記第２基本パラメータセットと、前記第２キャリア帯域幅とを含む。
【０１０６】
任意選択で、前記指示メッセージは第１パラメータの組み合わせを設定した場合の端末能力を送信するように前記端末装置に指示するための第４指示情報を含み、前記第１パラメータの組み合わせは前記第１基本パラメータセットと前記第１キャリア帯域幅とを含む。
【０１０７】
任意選択で、前記受信モジュールは具体的に無線リソース制御（ＲＲＣ）シグナリングを介して前記端末能力情報を受信することに用いられる。
【０１０８】
本発明の実施例におけるプロセッサは信号処理能力を有する集積回路チップであってもよいと理解される。実現時、上記方法実施例の各ステップはプロセッサにおけるハードウェアの集積論理回路又はソフトウェア形式の命令で完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェアコンポーネントであってもよい。本発明の実施例に開示される各方法、ステップ及び論理ブロック図を実現又は実行することができる。汎用プロセッサはマイクロプロセッサであってもよく、又は該プロセッサは更に任意の通常のプロセッサ等であってもよい。本発明の実施例に開示される方法のステップは、ハードウェアデコードプロセッサで実行して完了されてもよいし、又はデコードプロセッサにおけるハードウェア及びソフトウェアモジュールの組み合わせで実行して完了されてもよい。ソフトウェアモジュールはランダムアクセスメモリ、フラッシュメモリ、読み出し専用メモリ、プログラム可能読み出し専用メモリ又は電気的消去可能プログラム可能メモリ、レジスタ等の本分野における成熟した記憶媒体に位置してもよい。該記憶媒体がメモリに位置し、プロセッサがメモリにおける情報を読み取って、そのハードウェアと合わせて上記方法のステップを完了する。
【０１０９】
本発明の実施例におけるメモリは揮発性メモリ又は不揮発性メモリであってもよく、又は、揮発性メモリ及び不揮発性メモリを含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。制限的ではなく、例示的な説明によって、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が使用されてもよい。ただし、本明細書に説明されるシステム及び方法のメモリは以上のメモリ及び任意の他の適切なタイプのメモリを含んでもよいが、それらに限らないことを目的とする。
【０１１０】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定の応用に対して異なる方法で説明される機能を実現することができるが、このような実現は本発明の範囲を超えると見なされるべきではない。
【０１１１】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１１２】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１１３】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、又は複数のネットワークユニットに配置されてもよい。実際の必要に応じて、その一部又は全部のユニットを選択して本実施例案の目的を実現してもよい。
【０１１４】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１１５】
前記機能はソフトウェア機能ユニットの形式で実現され、且つ独立した製品として販売又は使用されるとき、１つのコンピュータ可読記憶媒体に記憶されてもよい。このような理解に基づき、本発明の技術案の本質又は従来技術に貢献する部分又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本発明の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１１６】
以上の説明は、本発明の具体的な実施形態であって、本発明の保護範囲を制限するためのものではなく、当業者が本発明に開示される技術的範囲内に容易に想到し得る変更又は置換は、いずれも本発明の保護範囲内に含まれるべきである。従って、本発明の保護範囲は特許請求の範囲に準じるべきである。
【図１】
2019527944.tif 000006
【図２】
2019527944.tif 000007
【図３】
2019527944.tif 000008
【図４】
2019527944.tif 000009
【図５】
2019527944.tif 000010
【図６】
2019527944.tif 000011
【図７】
2019527944.tif 000012
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
通信方法であって、
端末装置が前記端末装置の第１パラメータを設定した場合の端末能力及び／又は前記端末装置の第２パラメータに対するサポート能力を示すための端末能力情報を生成することと、
前記端末装置がネットワーク機器に前記端末能力情報を送信することと、を含む、ことを特徴とする前記通信方法。
【請求項２】
前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含むことを特徴とする
請求項１に記載の通信方法。
【請求項３】
前記第２基本パラメータセットがＭ種の基本パラメータセットであり、前記端末能力情報は前記端末装置の前記Ｍ種の基本パラメータセットのうちの各種の基本パラメータセットに対するサポート能力を示すための第１情報を含み、ここでＭ＞１であることを特徴とする
請求項２に記載の通信方法。
【請求項４】
前記第２キャリア帯域幅がＮ種のキャリア帯域幅であり、前記端末能力情報は前記端末装置の前記Ｎ種のキャリア帯域幅のうちの各種のキャリア帯域幅に対するサポート能力を示すための第２情報を含み、ここでＮ＞１であることを特徴とする
請求項２又は３に記載の通信方法。
【請求項５】
前記端末能力情報は前記端末装置の第２パラメータの組み合わせに対するサポート能力を示すための第３情報を含み、前記第２パラメータの組み合わせは前記第２基本パラメータセットと、前記第２キャリア帯域幅とを含むことを特徴とする
請求項２〜４のいずれか１項に記載の通信方法。
【請求項６】
前記端末能力情報は前記端末装置の第１パラメータの組み合わせを設定した場合の端末能力を示すための第４情報を含み、前記第１パラメータの組み合わせは前記第１基本パラメータセットと、前記第１キャリア帯域幅とを含むことを特徴とする
請求項２〜５のいずれか１項に記載の通信方法。
【請求項７】
前記端末装置がネットワーク機器に前記端末能力情報を送信することは、
前記端末装置が無線リソース制御（ＲＲＣ）シグナリングを介して前記端末能力情報を送信することを含むことを特徴とする
請求項１〜６のいずれか１項に記載の通信方法。
【請求項８】
通信方法であって、
ネットワーク機器が、端末能力情報を送信するように端末装置に指示するための指示メッセージを前記端末装置に送信し、前記端末能力情報が、前記端末装置の第１パラメータを設定した場合の端末能力及び／又は前記端末装置の第２パラメータに対するサポート能力を含むことと、
前記ネットワーク機器が前記端末装置から端末能力情報を受信することと、を含む、ことを特徴とする前記通信方法。
【請求項９】
前記第１パラメータは第１基本パラメータセット、第１キャリア帯域幅のうちの少なくとも１つを含み、及び／又は、前記第２パラメータは第２基本パラメータセット、第２キャリア帯域幅のうちの少なくとも１つを含むことを特徴とする
請求項８に記載の通信方法。
【請求項１０】
前記第２基本パラメータセットがＭ種の基本パラメータセットであり、前記指示メッセージは前記Ｍ種の基本パラメータセットのうちの各種の基本パラメータセットに対するサポート能力を送信するように前記端末装置に指示するための第１指示情報を含み、ここでＭ＞１であることを特徴とする
請求項９に記載の通信方法。
【請求項１１】
前記第２キャリア帯域幅がＮ種のキャリア帯域幅であり、前記指示メッセージは前記Ｎ種のキャリア帯域幅のうちの各種のキャリア帯域幅に対するサポート能力を送信するように前記端末装置に指示するための第２指示情報を含み、ここでＮ＞１であることを特徴とする
請求項９又は１０に記載の通信方法。
【請求項１２】
前記指示メッセージは第２パラメータの組み合わせに対するサポート能力を送信するように前記端末装置に指示するための第３指示情報を含み、前記第２パラメータの組み合わせは前記第２基本パラメータセットと、前記第２キャリア帯域幅とを含むことを特徴とする
請求項９〜１１のいずれか１項に記載の通信方法。
【請求項１３】
前記指示メッセージは第１パラメータの組み合わせを設定した場合の端末能力を送信するように前記端末装置に指示するための第４指示情報を含み、前記第１パラメータの組み合わせは前記第１基本パラメータセットと、前記第１キャリア帯域幅とを含み、
前記ネットワーク機器が前記端末装置から端末能力情報を受信することは、
前記ネットワーク機器が無線リソース制御（ＲＲＣ）シグナリングを介して前記端末能力情報を受信することを含むことを特徴とする
請求項９〜１２のいずれか１項に記載の通信方法。
【請求項１４】
端末装置であって、
命令が記憶されるメモリと、
前記命令を実行し、請求項１〜７のいずれか１項に記載の方法を実施するように構成されるプロセッサと、を含む、
前記端末装置。
【請求項１５】
ネットワーク機器であって、
命令が記憶されるメモリと、
前記命令を実行し、請求項８〜１３のいずれか１項に記載の方法を実施するように構成されるプロセッサと、を含む、
前記ネットワーク機器。
【国際調査報告】
2019527944.tif 000013
2019527944.tif 000014
2019527944.tif 000015
2019527944.tif 000016